【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
第１と第２の２つのモノポールアンテナを有する薄型アンテナであって、前記第１と第２のモノポールアンテナのアンテナ素子の軸線を略直交させて配置すると共に、前記アンテナ素子を合成器又は分配器に接続し、更に、一方の前記アンテナ素子と前記合成器又は分配器との間には、前記第１と第２のアンテナによって受信又は送信される電波の位相を合わせるための移相器を配置したことを特徴とする薄型アンテナ。
【請求項２】
請求項１に記載の薄型アンテナであって、前記第１と第２のモノポールアンテナの給電側には、２本の導体線から構成される平衡線をそれぞれ接続したことを特徴とする薄型アンテナ。
【請求項３】
請求項２に記載の薄型アンテナであって、前記２本の導体線のうちの１本は、一端を前記アンテナ素子、他端を前記移相器又は合成器の何れか一方に接続し、他の１本は、一端をアースパターンに接続したことを特徴とする薄型アンテナ。
【請求項４】
請求項２又は３に記載の薄型アンテナであって、前記モノポールアンテナのアンテナ素子及び前記平衡線をシート状の誘電体の上に構成したことを特徴とする薄型アンテナ。
【請求項５】
請求項４に記載の薄型アンテナであって、前記モノポールアンテナのアンテナ素子の長さを送受信周波数の１／４から１／３の長さとし、前記平衡線の長さを前記送受信周波数の１／８から１／４とし、前記第１と第２のモノポールアンテナにそれぞれ接続される平衡線の間隔を前記送受信周波数の１／８から１／４としたことを特徴とする薄型アンテナ。
【請求項６】
請求項４又は５に記載の薄型アンテナであって、前記アンテナ素子を前記誘電体の一方の面に配置し、前記誘電体の他方の面にはアースパターンを配置したことを特徴とする薄型アンテナ。
【請求項７】
請求項６に記載の薄型アンテナであって、前記平衡線のうちの１本を前記アンテナ素子と同じ面に形成し、他の１本を前記誘電体の他方の面に形成したことを特徴とする薄型アンテナ。
【請求項８】
請求項６又は７に記載の薄型アンテナであって、前記アースパターンを前記アンテナ素子に重ならないように配置したことを特徴とする薄型アンテナ。
【請求項９】
請求項１に記載の薄型アンテナであって、前記第１と第２のモノポールアンテナのアンテナ素子の給電点が近接するように前記アンテナ素子を配置し、不平衡線で給電するようにしたことを特徴とする薄型アンテナ。
【請求項１０】
請求項９に記載の薄型アンテナであって、前記第１と第２のモノポールアンテナのアンテナ素子をシート状の誘電体の一方の面上に形成し、前記誘電体の他方の面には、前記アンテナ素子の給電点近傍に端部が位置するように、前記アンテナ素子側が凸の形状のアースパターンを配置したことを特徴とする薄型アンテナ。
【請求項１１】
請求項１０記載の薄型アンテナであって、前記アースパターンの端部を略直角に形成したことを特徴とする薄型アンテナ。
【請求項１２】
請求項１から１１の何れか１項に記載の薄型アンテナであって、前記第１と第２のモノポールアンテナの先端部近傍に、モノポールアンテナのアンテナ素子と電気的に接続しない線状導体を、導波器又は反射器として機能するように配置したことを特徴とする薄型アンテナ。
【請求項１３】
請求項１２に記載の薄型アンテナであって、前記第１と第２のモノポールアンテナのアンテナ素子をある直線に対して線対称に配置し、前記線状導体を、この直線に直交するように配置したことを特徴とする薄型アンテナ。
【請求項１４】
請求項１２又は１３に記載の薄型アンテナであって、前記線状導体を前記導波器として機能させるように、前記線状導体の長さを、前記モノポールアンテナが送受信する電波の波長の１／２より短い長さとしたことを特徴とする薄型アンテナ。
【請求項１５】
請求項１２又は１３に記載の薄型アンテナであって、前記線状導体を前記反射器として機能させるように、前記線状導体の長さを、前記モノポールアンテナが送受信する電波の波長の１／２以上としたことを特徴とする薄型アンテナ。
【請求項１６】
請求項１２に記載の薄型アンテナであって、前記線状導体として、前記モノポールアンテナと同じ面に形成された他のアンテナの一部を利用したことを特徴とする薄型アンテナ。
【請求項１７】
請求項４に記載の薄型アンテナであって、前記シート状の誘電体を透明な絶縁体フィルムで構成し、このフィルムを自動車のガラス又は絶縁体で構成された外装部材に設置したことを特徴とする薄型アンテナ。
【請求項１８】
請求項４に記載の薄型アンテナであって、前記アンテナ素子及び前記平衡線を、自動車のガラス、又は絶縁体で構成された外装部材の表面又は内部に設置したことを特徴とする薄型アンテナ。
【請求項１９】
第１と第２のモノポールアンテナのアンテナ素子の軸線を略直交させて配置すると共に、前記アンテナ素子を合成器又は分配器に接続し、更に、一方の前記アンテナ素子と前記合成器又は分配器との間には、前記第１と第２のアンテナによって受信又は送信される電波の位相を合わせるための移相器を配置した薄型アンテナと、該薄型アンテナからの信号を受信する受信機と、を備えることを特徴とする受信装置。
【手続補正２】
【補正対象書類名】明細書
【補正対象項目名】発明の名称
【補正方法】変更
【補正の内容】
【発明の名称】薄型アンテナ及び受信装置
【手続補正３】
【補正対象書類名】明細書
【補正対象項目名】０００１
【補正方法】変更
【補正の内容】
【０００１】
本発明は薄型アンテナ及び受信装置に関し、特に、自動車等の移動体において、移動体のデザインを損ねることなく移動体に取り付けられて、円偏波を含む電波を受信、或いは送信、又は送受信することが可能な、小型で軽量の薄型アンテナ及び受信装置に関する。
【手続補正４】
【補正対象書類名】明細書
【補正対象項目名】０００８
【補正方法】変更
【補正の内容】
【０００８】
そこで、本発明は、アンテナを薄型化して車両の内部に搭載可能とし、車両のデザインを損なう虞を無くすと共に、アンテナが視界を遮る虞がなく、更に、構造が簡易で、主に円偏波を良好に送受信することが可能な薄型アンテナ及び受信装置を提供することを目的としている。
【手続補正５】
【補正対象書類名】明細書
【補正対象項目名】０００９
【補正方法】変更
【補正の内容】
【０００９】
また、本発明の他の目的は、車両に搭載する必要のあるその他のアンテナをできるだけ多くこの薄型アンテナに組み込むことにより、アンテナ搭載スペースを削減し、アンテナのコストを低減した薄型アンテナ及び受信装置を提供することにある。
【手続補正６】
【補正対象書類名】明細書
【補正対象項目名】００２８
【補正方法】変更
【補正の内容】
【００２８】
第１８の形態は、第４の形態において、アンテナ素子及び平衡線を、自動車のガラス、又は絶縁体で構成された外装部材の表面又は内部に設置したことを特徴とする薄型アンテナである。
また、前記目的を達成する本発明の受信機は、第１と第２のモノポールアンテナのアンテナ素子の軸線を略直交させて配置すると共に、アンテナ素子を合成器又は分配器に接続し、更に、一方のアンテナ素子と合成器又は分配器との間には、第１と第２のアンテナによって受信又は送信される電波の位相を合わせるための移相器を配置した薄型アンテナと、薄型アンテナからの信号を受信する受信機とを備えることを特徴としている。
【手続補正７】
【補正対象書類名】明細書
【補正対象項目名】００２９
【補正方法】変更
【補正の内容】
【００２９】
本発明によれば、給電構造が簡単で、円偏波を受信することができる薄型アンテナ及び受信装置が提供される。また、薄型の誘電体に各種のアンテナを設置することができる上に、車両の誘電体に設置することもできるため、車両デザインを損なう虞がなく、アンテナが損傷したり、盗難被害に合う等の虞がない。更に、薄型の誘電体を透明フィルムとすることにより、運転者の視界を遮る虞がない。更にまた、車両に搭載する必要のあるその他のアンテナをできるだけ多くこの薄型アンテナに組み込むことにより、複数種類の電波用のアンテナ搭載スペースが削減され、ケーブルを統合することができるので、アンテナの車両への搭載性、取付性が向上し、アンテナの設置コストが低減される。
【手続補正８】
【補正対象書類名】明細書
【補正対象項目名】００４２
【補正方法】変更
【補正の内容】
【００４２】
また、薄型アンテナ１０に設けられたＴＶアンテナ１３は、コネクタ３１と図示しないケーブル２と同軸ケーブル４によってセレクタ／アンプ４０のセレクタ４７に接続されている。また、薄型テレビアンテナ５０に設けられた２つのＴＶアンテナ５１，５２は、それぞれコネクタ３１と図示しないケーブル２と同軸ケーブル４によってセレクタ／アンプ４０のセレクタ４７に接続されている。セレクタ４７は、受信感度の高いＴＶアンテナ（ＴＶアンテナ１３，５１，５２の何れか）を選択して、その出力がアンプ４８に出力されるようにＴＶアンテナを切り換える。この結果、ＴＶアンテナ１３，５１，５２の何れか１つが、セレクタ／アンプ４０と同軸ケーブル５を通じて受信機８０に内蔵されたＴＶチューナ８２に接続される。